(57)【特許請求の範囲】
【請求項１】
後方から複数の端子金具が挿入されるハウジングの後端部に取り付けられ、前記端子金具の後端部に接続した電線を液密状に貫通させる複数のシール孔が形成されたシール部材であって、
前記シール孔の後端側領域を構成する本体部と、
前記シール孔の前端側領域を構成する追従部と、
前記本体部の前面の外周縁から前方へ突出した周壁部とを備えており、
前記本体部の外周にはシール機能部が形成され、
前記本体部のうち前記シール孔の内周と前記シール機能部との間の領域が、中実の弾性部となっており、
前記追従部は、前記本体部の前面から前記シール機能部よりも前方へ突出した形態であって、前記ハウジングに取り付けた状態で前記シール孔の貫通方向と交差する方向への弾性変形が可能であり、
前記周壁部の外周面が前記本体部の外周面と面一状に連続し、
前記周壁部の外周に、リブ状に突出した補助シール部が形成されているシール部材。
【請求項２】
前記追従部が１つの前記シール孔のみを構成し、複数の前記追従部が前記本体部から個別に突出していることを特徴とする請求項１記載のシール部材。
【請求項３】
前記追従部と前記周壁部との間に、前記追従部が弾性変形したときに前記周壁部との干渉を回避する溝部が形成されている請求項１又は請求項２に記載のシール部材。
【請求項４】
前記周壁部の内周と前記追従部の外周とを繋ぐ繋ぎ部を備えている請求項１から請求項３のいずれか１項に記載のシール部材。
【請求項５】
後方から複数の端子金具が挿入されるハウジングと、
前記ハウジングの後端部に取り付けられたシール部材と、
前記シール部材に形成され、前記端子金具の後端部に接続した電線を液密状に貫通させる複数のシール孔とを備えた防水コネクタであって、
前記シール部材は、
前記シール孔の後端側領域を構成する本体部と、
前記シール孔の前端側領域を構成する追従部と、
前記本体部の前面の外周縁から前方へ突出した周壁部とを備えており、
前記本体部の外周にはシール機能部が形成され、
前記本体部のうち前記シール孔の内周と前記シール機能部との間の領域が、中実の弾性部となっており、
前記追従部は、前記本体部の前面から前記シール機能部よりも前方へ突出した形態であって、前記ハウジングに取り付けた状態で前記シール孔の貫通方向と交差する方向への弾性変形が可能であり、
前記周壁部の外周面が前記本体部の外周面と面一状に連続し、
前記周壁部の外周に、リブ状に突出した補助シール部が形成されている防水コネクタ。
【発明の詳細な説明】
【技術分野】
【０００１】
本発明は、シール部材及び防水コネクタに関するものである。
【背景技術】
【０００２】
特許文献１には、ハウジングと、後方からハウジング内に挿入された複数の端子金具と、ハウジングの後端部に取り付けられたシール部材とを備えたコネクタが開示されている。シール部材には、前後方向に貫通した形態の複数のシール孔が形成され、各シール孔には、端子金具の後端部に固着した電線が液密状に挿通されている。
【先行技術文献】
【特許文献】
【０００３】
【特許文献１】特開２０１５−０３５４０４号公報
【発明の概要】
【発明が解決しようとする課題】
【０００４】
上記コネクタでは、シール部材の外周の動きが、ほぼ全長に亘って拘束される形態である。そのため、電線のうちシール部材の後方へ引き出された部分が径方向へ引っ張られたときに、シール部材が電線の変形に追従できず、シール孔の内周と電線の外周との間の密着度が低下することが懸念される。
本発明は上記のような事情に基づいて完成されたものであって、シール機能の信頼性向上を図ることを目的とする。
【課題を解決するための手段】
【０００５】
第１の発明は、
後方から複数の端子金具が挿入されるハウジングの後端部に取り付けられ、前記端子金具の後端部に接続した電線を液密状に貫通させる複数のシール孔が形成されたシール部材であって、
前記シール孔の後端側領域を構成し、外周にシール機能部が形成され、前記シール孔の内周と前記シール機能部との間の領域が中実の弾性部となっている本体部と、
前記本体部の前面から前記シール機能部よりも前方へ突出した形態であって、前記シール孔の前端側領域を構成し、前記ハウジングに取り付けた状態で前記シール孔の貫通方向と交差する方向への弾性変形が可能な追従部とを備えているところに特徴を有する。
【０００６】
第２の発明は、
後方から複数の端子金具が挿入されるハウジングと、
前記ハウジングの後端部に取り付けられたシール部材と、
前記シール部材に形成され、前記端子金具の後端部に接続した電線を液密状に貫通させる複数のシール孔とを備えた防水コネクタであって、
前記シール部材は、
前記シール孔の後端側領域を構成し、外周にシール機能部が形成され、前記シール孔の内周と前記シール機能部との間の領域が中実の弾性部となっている本体部と、
前記本体部の前面から前記シール機能部よりも前方へ突出した形態であって、前記シール孔の前端側領域を構成し、前記ハウジングに取り付けた状態で前記シール孔の貫通方向と交差する方向への弾性変形が可能な追従部とを備えて構成されているところに特徴を有する。
【発明の効果】
【０００７】
電線のうちシール部材の後方へ引き出された部分が径方向へ引っ張られると、追従部が電線の姿勢の傾きに追従して弾性変形するので、シール孔のうち追従部によって構成されている前端側領域の内周は、電線の外周に対し液密状に密着する状態を保つ。また、本体部のうちシール機能部の形成されている領域では、シール機能部と、シール孔の後端側領域の内周との間が中実の弾性部となっているので、シール機能部は所期のシール機能を発揮する。
【図面の簡単な説明】
【０００８】
【図１】実施例１の側断面図
【図２】電線が上方へ引っ張られた状態をあらわす側断面図
【図３】シール部材の正面図
【図４】図３のＸ−Ｘ線断面図
【図５】シール部材の平面図
【図６】実施例２の側断面図
【図７】電線が上方へ引っ張られた状態をあらわす側断面図
【図８】シール部材の側断面図
【発明を実施するための形態】
【０００９】
第１及び第２の発明は、前記追従部が１つの前記シール孔のみを構成し、複数の前記追従部が前記本体部から個別に突出していてもよい。この構成によれば、各電線が個別に引っ張られた場合でも、その電線の動きに対しシール孔を追従させることができる。
【００１０】
第１及び第２の発明は、前記本体部の前面の外周縁から前方へ突出し、外周に補助シール部が形成された周壁部を備えていてもよい。この構成によれば、シール機能部に加えて補助シール部を設けたことにより、シール部材の外周のシール機能が向上する。
【００１１】
第１及び第２の発明は、前記追従部と前記周壁部との間に、前記追従部が弾性変形したときに前記周壁部との干渉を回避する溝部が形成されていてもよい。この構成によれば、追従部が周壁部と干渉せずに弾性変形することができるので、追従部の追従性が向上する。
【００１２】
第１及び第２の発明は、前記周壁部の内周と前記追従部の外周とを繋ぐ繋ぎ部を備えていてもよい。この構成によれば、周壁部が外周側へ不正に変形することを規制できる。
【００１３】
＜実施例１＞
以下、本発明を具体化した実施例１を図１〜図５を参照して説明する。尚、以下の説明において、前後の方向については、図１，２，４，５における左方を前方と定義する。上下の方向については、図１〜４にあらわれる向きを、そのまま上方、下方と定義する。本実施例１の防水コネクタＡは、合成樹脂製のフレーム１０と、合成樹脂製のハウジング２０と、複数の端子金具２４と、ゴム製のシール部材３０と、合成樹脂製のリヤホルダ４５とを備えて構成されている。
【００１４】
フレーム１０は、後方に開口した収容区間１１を有している。フレーム１０の内周面のうち後端に近い領域は、全周に亘って滑らかに連続したシール面１２となっている。収容区間１１内には、後方からハウジング２０の全体と、シール部材３０の全体と、リヤホルダ４５の前端側部分が収容されるようになっている。収容区間１１に収容されたシール部材３０は、前後方向においてシール面１２とほぼ同じ位置となるように配される。
【００１５】
ハウジング２０は、全体として左右方向に長い扁平なブロック状をなす。ハウジング２０の内部には、ハウジング２０を前後方向に貫通した形態の複数の端子収容室２１が形成されている。複数の端子収容室２１は、上下２段に分かれて配されている。上段の端子収容室２１と下段の端子収容室２１は、夫々、左右方向に一定ピッチで並ぶように配されている。各端子収容室２１内には、後方から端子金具２４が挿入されている。挿入された端子金具２４は、端子収容室２１に形成されたランス２２の係止作用によって抜止めされている。また、ハウジング２０の後端部には、全ての端子収容室２１の後端部に連通する１つの収容凹部２３が形成されている。
【００１６】
シール部材３０は、全体として左右方向に長い形状をなし、正面形状は長円形をなす。シール部材３０は、１つの本体部３１と、複数（端子収容室２１と同数）の追従部４０と、１つの周壁部４１とを有する単一部品である。シール部材３０には、シール部材３０を前後方向に貫通した形態の複数（端子収容室２１と同数）のシール孔３２が形成されている。複数のシール孔３２は、各端子金具２４の後端部の圧着部２５に接続した電線２６を、液密状に貫通させるための空間であり、複数の端子収容室２１と対応する位置に配されている。シール孔３２の軸線と直角に切断した断面形状は、円形である。
【００１７】
シール孔３２の内周の前端部には、周方向に延びるリブ状に突出し、全周に亘って連続した形態の第１内周リップ部３３が形成されている。シール孔３２の内周における第１内周リップ部３３の後方近傍の位置には、周方向に延びるリブ状に突出し、全周に亘って連続した形態の第２内周リップ部３４が形成されている。シール孔３２の内周における第２内周リップ部３４の後方近傍の位置には、周方向に延びるリブ状に突出し、全周に亘って連続した形態の第３内周リップ部３５が形成されている。
【００１８】
第１内周リップ部３３の最小内径、第２内周リップ部３４の最小内径及び第３内周リップ部３５の最小内径は、同一寸法である。また、シール孔３２の内周の後端部には、後方に向かって内径が次第に大きくなるテーパ状の誘導面３６が形成されている。誘導面３６の最小内径は、第１内周リップ部３３、第２内周リップ部３４及び第３内周リップ部３５の最小内径よりも大きい寸法である。
【００１９】
本体部３１は、シール部材３０のうち前後方向における略後半部分（後端側部分）を構成する。本体部３１の正面形状は、左右方向に長い長円形である。本体部３１の外周における前端側の位置には、周方向に延びるリブ状に突出し、全周に亘って連続した形態の外周リップ部３７（請求項に記載のシール機能部）が形成されている。本体部３１の外周における後端側の位置には、周方向に延びるリブ状に突出し、全周に亘って連続した形態の後側外周補助リップ部３８Ｒが形成されている。本体部３１の外周に形成されているリップ部は、外周リップ部３７と後側外周補助リップ部３８Ｒの２つだけである。本体部３１の外周面を基準とする外周リップ部３７と後側外周補助リップ部３８Ｒの突出寸法は、互いに同じ寸法である。
【００２０】
本体部３１は、シール孔３２の後端側領域３２Ｒを構成する。シール孔３２の後端側領域３２Ｒには、第３内周リップ部３５と、誘導面３６とが形成されている。第１内周リップ部３３と第２内周リップ部３４は、本体部３１よりも前方に配されている。外周リップ部３７と第３内周リップ部３５は、前後方向において、ほぼ同じ位置に配されている。詳しくは、外周リップ部３７の前端側部分と、第３内周リップ部３５の後端側部分とが、前後方向において同じ領域に配されている。また、後側外周補助リップ部３８Ｒと誘導面３６は、前後方向において概ね同じ位置となるように配されている。
【００２１】
本体部３１は、その全体が中実の弾性部３９となっている。したがって、シール孔３２の後端側領域３２Ｒの内周面と本体部３１の外周面との間には、溝や凹み等の中空部分は存在しない。また、上下に隣り合うシール孔３２の後端側領域３２Ｒの内周面同士の間にも、溝や凹み等の中空部分は存在しない。同様に、左右に隣り合うシール孔３２の後端側領域３２Ｒの内周面同士の間にも、溝や凹み等の中空部分は存在しない。
【００２２】
追従部４０は、複数の端子収容室２１と個別に対応するように上下２段に分かれて配されている。各追従部４０は、本体部３１の前面から前方（端子金具２４側）へ突出した形態である。追従部４０の前端（突出端）は、外周リップ部３７の前端よりも前方に位置する。１つの追従部４０は、１つのシール孔３２の前端側領域３２Ｆ（シール孔３２のうち本体部３１よりも前方の領域）を構成する。シール孔３２の前端側領域３２Ｆには、第１内周リップ部３３と第２内周リップ部３４が形成されている。
【００２３】
各追従部４０は、本体部３１に対し個別に且つ弾性的に相対変位し得るようになっている。追従部４０の相対変位は、シール孔３２及びシール孔３２内の電線２６の軸線方向（前後方向）に対して交差する方向（上下方向及び左右方向）へ傾くような弾性変形である。上下左右に隣り合う追従部４０同士は、弾性変形したときに互いに非接触（非干渉）となるような間隔を空けている。追従部４０が弾性変形すると、第１内周リップ部３３と第２内周リップ部３４が、追従部４０と一体的に変位する。
【００２４】
周壁部４１は、本体部３１の前面の外周縁部に沿って全周に亘って配され、本体部３１から前方へ突出した形態である。周壁部４１の前端は、追従部４０の前端よりも後方（本体部３１側）に位置している。周壁部４１は、全ての追従部４０を一括して包囲する形態である。追従部４０と周壁部４１との間には、追従部４０が上下方向又は左右方向へ弾性変形したときに周壁部４１と非接触（非干渉）となるような溝部４７が形成されている。
【００２５】
図３に示すように、周壁部４１の左右両端部は、略直線状の上下両壁部に比べると、外周と内周との間の寸法の大きい拡幅部４２となっている。この左右一対の拡幅部４２には、周壁部４１の前面から本体部３１の後面に貫通した左右一対の位置決め孔４３が形成されている。位置決め孔４３は、ハウジング２０に対し、リヤホルダ４５を上下方向及び左右方向に位置決めするための手段である。一対の位置決め孔４３は、本体部３１の左右両端部、即ち全てのシール孔３２を左右両側から挟むような位置に配されている。また、両拡幅部４２の内側面（内周面）と、左右方向におれる両端に位置する４つの追従部４０とは、繋ぎ部４４によって連結されている。
【００２６】
周壁部４１の外周には、周方向に延びるリブ状に突出し、全周に亘って連続した形態の前側外周補助リップ部３８Ｆが形成されている。周壁部４１は本体部３１の前方に位置するので、前側外周補助リップ部３８Ｆは、外周リップ部３７よりも前方に位置する。また、周壁部４１の外周面は本体部３１の外周面と面一状に連続しており、周壁部４１の外周面を基準とする前側外周補助リップ部３８Ｆの突出寸法は、本体部３１の外周面を基準とする外周リップ部３７及び後側外周補助リップ部３８Ｒの突出寸法と同じ寸法である。
【００２７】
上記構成のシール部材３０は、ハウジング２０の後面に周壁部４１の前端面を当接させた状態で、ハウジング２０に取り付けられている。取り付け状態では、全ての追従部４０がハウジング２０の収容凹部２３内に収容される。また、周壁部４１の内周面は収容凹部２３の内周面とほぼ面一状に連なっている。したがって、追従部４０と収容凹部２３の内周面は、追従部４０が上下方向又は左右方向へ弾性変形したときに非接触（非干渉）となるような間隔を空けている。
【００２８】
リヤホルダ４５は、シール部材３０と同じく左右方向に長い略長円形をなしている。リヤホルダ４５には、各シール孔３２と個別に対応する複数の貫通孔４６が形成されている。また、リヤホルダ４５の左右両端部には、一対の位置決め突起（図示省略）が形成されている。リヤホルダ４５は、シール部材３０に対し、本体部３１の後面に密着するとともに、位置決め突起を位置決め孔４３に貫通した状態で取り付けられている。位置決め突起の突出端部（前端部）はハウジング２０の係止部（図示省略）に係止されている。この係止作用により、リヤホルダ４５がハウジング２０に固定され、シール部材３０が、ハウジング２０の後面とリヤホルダ４５の前面との間で挟み付けられた状態でハウジング２０の後端部に取り付けられている。
【００２９】
上記のようにハウジング２０とシール部材３０とリヤホルダ４５を組み付けた後、端子金具２４が、リヤホルダ４５の後方から貫通孔４６に挿通され、シール孔３２を貫通して端子収容室２１内に挿入される。これに伴い、端子金具２４の後端部に接続されている電線２６の前端部が、貫通孔４６とシール孔３２内に挿通される。挿通状態では、シール孔３２の内周の３つの内周リップ部３３，３４，３５が、弾性変形した状態で電線２６の外周に対し液密状に密着する。これにより、シール孔３２を通過して端子収容室２１に至る経路での浸水が防止される。
【００３０】
全ての端子金具２４をハウジング２０内に挿入した後、ハウジング２０、シール部材３０及びリヤホルダ４５は、フレーム１０の収容区間１１内に収容される。正規に収容された状態では、フレーム１０のシール面１２に対し、外周リップ部３７、前側外周補助リップ部３８Ｆ及び後側外周補助リップ部３８Ｒが、弾性変形した状態で密着する。これにより、フレーム１０の内周面とシール部材３０の外周面との隙間を通過してハウジング２０の前端部に至る経路での浸水が防止される。
【００３１】
次に、本実施例１の作用を説明する。端子金具２４の前端部の上下寸法及び左右寸法は、端子金具２４の後端部の圧着部２５の上下寸法及び左右寸法よりも大きい。そのため、端子収容室２１の後端部では、端子金具２４の圧着部２５と端子収容室２１の内面との間にクリアランスが存在している。
【００３２】
圧着部２５から後方へ延出した電線２６は、シール部材３０とリヤホルダ４５を貫通して、リヤホルダ４５の外部後方へ導出されており、この導出部分は、シール孔３２の軸線（前後方向）と交差する方向（上下方向又は左右方向）の引張力を受けることがある。例えば、図２に示すように、電線２６の導出部分が上方へ引っ張られると、電線２６のうちシール部材３０を貫通している領域が前傾するように姿勢を傾ける。このとき、圧着部２５の位置が少し低くなる。
【００３３】
すると、追従部４０が、電線２６の姿勢の傾きに追従し、前端側を下に向けるように斜めに弾性変形する。このとき、追従部４０の内周に形成されている第１内周リップ部３３と第２内周リップ部３４は、追従部４０と一体となって斜めになるので、電線２６の外周に対し全周に亘って一定の押圧力で密着する。これにより、シール孔３２の内周と電線２６の外周との間は確実に液密状態に保たれる。
【００３４】
また、本体部３１の外周リップ部３７はフレーム１０のシール面１２に対し弾性的に密着し、本体部３１の第３内周リップ部３５は電線２６の外周に対し弾性的に密着している。電線２６の径方向に対応する外周リップ部３７と第３内周リップ部３５との間には、中実の弾性部３９が存在しているので、追従部４０が弾性変形しても弾性部３９（本体部３１）自体は大きく弾性変形することはない。これにより、外周リップ部３７とシール面１２との間が確実に液密状態に保たれるとともに、第３内周リップ部３５と電線２６との間も確実に液密状態に保たれる。
【００３５】
本実施例１の防水コネクタＡは、後方から複数の端子金具２４が挿入されるハウジング２０と、ハウジング２０の後端部に取り付けられたシール部材３０とを備えており、シール部材３０は、端子金具２４の後端部に接続した電線２６を液密状に貫通させる複数のシール孔３２を備えたものである。シール部材３０は、本体部３１と複数の追従部４０とを備えて構成されている。本体部３１は、シール孔３２の後端側領域３２Ｒを構成するものであり、本体部３１の外周には外周リップ部３７が形成されている。そして、シール孔３２の内周と外周リップ部３７との間の領域は中実の弾性部３９となっている。また、追従部４０は、本体部３１の前面から外周リップ部３７よりも前方へ突出した形態であり、シール孔３２の前端側領域３２Ｆを構成するものである。ハウジング２０に取り付けた状態では、追従部４０は、シール孔３２の貫通方向と交差する方向への弾性変形が可能となっている。
【００３６】
電線２６のうちシール部材３０の後方へ引き出された部分が径方向（上下方向又は左右方向）へ引っ張られると、追従部４０が電線２６の姿勢の傾きに追従して弾性変形するので、シール孔３２のうち追従部４０によって構成されている前端側領域３２Ｆの内周は、電線２６の外周に対し液密状に密着する状態を保つ。また、本体部３１のうち外周リップ部３７の形成されている領域では、外周リップ部３７と、シール孔３２の後端側領域３２Ｒの内周との間が中実の弾性部３９となっているので、外周リップ部３７は所期のシール機能を発揮する。
【００３７】
また、１つの追従部４０が１つのシール孔３２のみを構成し、複数の追従部４０が本体部３１から個別に突出している。この構成によれば、各電線２６が個別に引っ張られた場合でも、その電線２６の動きに対し追従部４０が個別に弾性変形するので、電線２６の姿勢の動きや姿勢の傾きにシール孔３２を柔軟に追従させることができる。
【００３８】
また、本体部３１の前面の外周縁からは周壁部４１が前方へ突出し、周壁部４１の外周には前側外周補助リップ部３８Ｆが形成されているので、外周リップ部３７に加えて前側外周補助リップ部３８Ｆを設けたことにより、シール部材３０の外周のシール機能が向上する。また、追従部４０と周壁部４１との間に、追従部４０が弾性変形したときに周壁部４１との干渉を回避するための溝部４７が形成されている。これにより、追従部４０が周壁部４１と干渉せずに十分に大きな角度で弾性変形することができるので、追従部４０の追従性が高い。また、周壁部４１の内周と追従部４０の外周とが繋ぎ部４４によって繋がった形態となっているので、周壁部４１が外周側へ不正に変形する虞がない。
【００３９】
＜実施例２＞
次に、本発明を具体化した実施例２を図６〜図８を参照して説明する。本実施例２の防水コネクタＢは、シール部材５０を上記実施例１とは異なる構成としたものである。その他の構成（ハウジング２０、端子金具２４、電線２６及びリヤホルダ４５）については上記実施例１と同じであるため、同じ構成については、同一符号を付し、構造、作用及び効果の説明は省略する。
【００４０】
シール部材５０は、全体として左右方向に長い形状をなし、正面形状は長円形をなす。シール部材５０は、１つの本体部５１と、複数（端子収容室２１と同数）の追従部６１とを有する単一部品である。シール部材５０には、シール部材５０を前後方向に貫通した形態の複数（端子収容室２１と同数）のシール孔５２が形成されている。複数のシール孔５２は、各端子金具２４の後端部の圧着部２５に接続した電線２６を、液密状に貫通させるための空間であり、複数の端子収容室２１と対応する位置に配されている。シール孔５２の軸線と直角に切断した断面形状は、円形である。
【００４１】
シール孔５２の内周の前端部には、周方向に延びるリブ状に突出し、全周に亘って連続した形態の第１内周リップ部５３が形成されている。シール孔５２の内周における第１内周リップ部５３の後方近傍の位置には、周方向に延びるリブ状に突出し、全周に亘って連続した形態の第２内周リップ部５４が形成されている。シール孔５２の内周における第２内周リップ部５４の後方近傍の位置には、周方向に延びるリブ状に突出し、全周に亘って連続した形態の第３内周リップ部５５が形成されている。
【００４２】
第１内周リップ部５３の最小内径、第２内周リップ部５４の最小内径及び第３内周リップ部５５の最小内径は、同一寸法である。また、シール孔５２の内周の後端部には、後方に向かって内径が次第に大きくなるテーパ状の誘導面５６が形成されている。誘導面５６の最小内径は、第１内周リップ部５３、第２内周リップ部５４及び第３内周リップ部５５の最小内径よりも大きい寸法である。
【００４３】
本体部５１は、シール部材５０のうち前後方向における後端側の概ね３／４の領域を構成する。本体部５１の正面形状は、左右方向に長い長円形である。本体部５１の外周における前端側の位置には、周方向に延びるリブ状に突出し、全周に亘って連続した形態の第１外周リップ部５７（請求項に記載のシール機能部）が形成されている。本体部５１の外周における前後方向略中央部には、周方向に延びるリブ状に突出し、全周に亘って連続した形態の第２外周リップ部５８（請求項に記載のシール機能部）が形成されている。
【００４４】
本体部５１の外周における後端部の位置には、周方向に延びるリブ状に突出し、全周に亘って連続した形態の外周補助リップ部５９が形成されている。本体部５１の外周には３つのリップ部５７，５８，５９が前後に並んで形成されている。本体部５１の外周面を基準とする第１外周リップ部５７と第２外周リップ部５８と外周補助リップ部５９の突出寸法は、全て同じ寸法である。
【００４５】
本体部５１は、シール孔５２の後端側領域５２Ｒ（後端側の概ね３／４の領域）を構成する。シール孔５２の後端側領域５２Ｒには、第２内周リップ部５４と、第３内周リップ部５５と、誘導面５６とが形成されている。第１内周リップ部５３は、本体部５１よりも前方に配されている。第１外周リップ部５７と第２内周リップ部５４は、前後方向において概ね同じ位置に配されている。また、第２外周リップ部５８と第３内周リップ部５５は、前後方向において概ね同じ位置に配されている。詳しくは、第２外周リップ部５８の前端側部分と、第３内周リップ部５５の後端側部分とが、前後方向において同じ領域に配されている。また、外周補助リップ部５９と誘導面５６は、前後方向において概ね同じ位置となるように配されている。
【００４６】
本体部５１は、その全体が中実の弾性部６０となっている。したがって、シール孔５２の後端側領域５２Ｒの内周面と本体部５１の外周面との間には、溝や凹み等の中空部分は存在しない。また、上下に隣り合うシール孔５２の後端側領域５２Ｒの内周面同士の間にも、溝や凹み等の中空部分は存在しない。同様に、左右に隣り合うシール孔５２の後端側領域５２Ｒの内周面同士の間にも、溝や凹み等の中空部分は存在しない。
【００４７】
追従部６１は、複数の端子収容室２１と個別に対応するように上下２段に分かれて配されている。各追従部６１は、本体部５１の前面から前方（端子金具２４側）へ突出した形態である。追従部６１の前端（突出端）は、第１外周リップ部５７の前端よりも前方に位置する。１つの追従部６１は、１つのシール孔５２の前端側領域５２Ｆ（シール孔５２のうち本体部５１よりも前方の領域であって、前端側の概ね１／４の領域）を構成する。シール孔５２の前端側領域５２Ｆには、第１内周リップ部５３が形成されている。つまり、本体部５１には２つのリップ部（第２内周リップ部５４と第３内周リップ部５５）が形成されているのに対し、追従部６１に形成されているリップ部（第１内周リップ部５３）は１つだけである。
【００４８】
各追従部６１は、本体部５１に対し個別に且つ弾性的に相対変位し得るようになっている。追従部６１の相対変位は、シール孔５２及びシール孔５２内の電線２６の軸線方向（前後方向）に対して交差する方向（上下方向及び左右方向）へ傾くような弾性変形である。上下左右に隣り合う追従部６１同士は、弾性変形したときに互いに非接触（非干渉）となるような間隔を空けている。追従部６１が弾性変形すると、第１内周リップ部５３が、追従部６１と一体的に変位する。
【００４９】
上記構成のシール部材５０は、ハウジング２０の後面に本体部５１の前端面を当接させた状態で、ハウジング２０に取り付けられている。取り付け状態では、全ての追従部６１がハウジング２０の収容凹部２３内に収容される。追従部６１と収容凹部２３の内周面は、追従部６１が上下方向又は左右方向へ弾性変形したときに非接触（非干渉）となるような間隔を空けている。
【００５０】
端子金具２４の圧着部２５から後方へ延出した電線２６は、シール部材５０とリヤホルダ４５を貫通して、リヤホルダ４５の外部後方へ導出されている。例えば、図７に示すように、電線２６の導出部分が上方へ引っ張られると、電線２６のうちシール部材５０を貫通している領域が前傾するように姿勢を傾ける。このとき、圧着部２５の位置が少し低くなる。
【００５１】
すると、追従部６１が、電線２６の姿勢の傾きに追従し、前端側を下に向けるように斜めに弾性変形する。このとき、追従部６１の内周に形成されている第１内周リップ部５３は、追従部６１と一体となって斜めになるので、電線２６の外周に対し全周に亘って一定の押圧力で密着する。これにより、シール孔５２の内周と電線２６の外周との間は確実に液密状態に保たれる。
【００５２】
また、本体部５１の第１外周リップ部５７と第２外周リップ部５８はフレームのシール面に対し弾性的に密着し、本体部５１の第２内周リップ部５４と第３内周リップ部５５は電線２６の外周に対し弾性的に密着している。電線２６の径方向に対応する第１外周リップ部５７と第２内周リップ部５４との間には、中実の弾性部６０が存在し、電線２６の径方向に対応する第２外周リップ部５８と第３内周リップ部５５との間にも、中実の弾性部６０が存在している。したがって、追従部６１が弾性変形しても、弾性部６０（本体部５１）自体は大きく弾性変形することはない。これにより、第１外周リップ部５７とシール面との間及び第２外周リップ部５８とシール面との間が確実に液密状態に保たれるとともに、第２内周リップ部５４と電線２６との間及び第３内周リップ部５５と電線２６との間も確実に液密状態に保たれる。
【００５３】
＜他の実施例＞
本発明は上記記述及び図面によって説明した実施例に限定されるものではなく、例えば次のような実施例も本発明の技術的範囲に含まれる。
（１）上記実施例１，２では、追従部が１つのシール孔のみを構成し、複数の追従部が本体部から個別に突出しているが、１つの追従部が複数のシール孔を構成してもよい。この場合、本体部から突出する追従部の数を１つだけとし、この追従部が全てのシール孔を構成するようにしてもよく、あるいは、複数の追従部を本体部から突出させた場合において、１つの追従部が複数のシール孔を構成するようにしてもよい。
（２）上記実施例１，２では、本体部の前端から後端に至る全領域が中実の弾性部となっているが、本体部のうちシール機能部（外周リップ部）よりも前方の領域や後方の領域が、溝等の中空部を有する非中実の形態でもよい。
（３）上記実施例１では、シール機能部が１つだけであるが、前後方向に間隔を空けた複数のシール機能部を設けてもよい。
（４）上記実施例２では、シール機能部が２つであるが、シール機能部の数は、１つだけでもよく、３つ以上でもよい。
（５）上記実施例１では、本体部に形成した内周リップ部の数を１つとしたが、本体部に形成する内周リップ部の数は複数でもよい。
（６）上記実施例２では、本体部に２つの内周リップ部を形成したが、本体部に形成する内周リップ部の数は、１つでもよく、３つ以上でもよい。
（７）上記実施例１，２では、本体部に形成した内周リップ部の数を、シール機能部と同数としたが、本体部に形成する内周リップ部の数は、シール機能部と異なる数であってもよい。
（８）上記実施例１では、追従部に形成する内周リップ部の数を、２つとしたが、追従部に形成する内周リップ部の数は、１つだけでとしてもよく、３つ以上としてもよい。
（９）上記実施例２では、追従部に形成する内周リップ部の数を、１つとしたが、追従部に形成する内周リップ部の数は、複数でもよい。
（１０）上記実施例１では、追従部に形成する内周リップ部の数を、本体部の内周リップ部より多い数としたが、追従部に形成する内周リップ部の数は、本体部の内周リップ部と同数としてもよく、本体部の内周リップ部より少ない数としてもよい。
（１１）上記実施例２では、追従部に形成する内周リップ部の数を、本体部の内周リップ部より少ない数としたが、追従部に形成する内周リップ部の数は、本体部の内周リップ部と同数としてもよく、本体部の内周リップ部より多い数としてもよい。
（１２）上記実施例１では、周壁部の内周と追従部の外周とを繋ぎ部で繋いだが、シール部材は、周壁部の内周と追従部の外周とを繋ぐ繋ぎ部を有しない形態であってもよい。
（１３）上記実施例１では、追従部の前端が周壁部の前端より前方へ突出しているが、追従部の前端は、前後方向において、周壁部の前端と同じ位置、又は周壁部の前端より後方の位置にあってもよい。
（１４）上記実施例１，２では、シール部材の外周が、ハウジングを収容するためのフレームの内周に密着するが、本発明は、シール部材の外周がハウジングに一体形成した周壁部に密着する場合にも適用できる。
【符号の説明】
【００５４】
Ａ，Ｂ…防水コネクタ
２０…ハウジング
２４…端子金具
２６…電線
３０，５０…シール部材
３１，５１…本体部
３２，５２…シール孔
３２Ｆ，５２Ｆ…シール孔の後端側領域
３２Ｒ，５２Ｒ…シール孔の前端側領域
３７…外周リップ部（シール機能部）
３８Ｆ…前側外周補助リップ部（補助シール部）
３９，６０…弾性部
４０，６１…追従部
４１…周壁部
４４…繋ぎ部
４７…溝部
５７…第１外周リップ部（シール機能部）
５８…第２外周リップ部（シール機能部）
【図１】
0006628095.tif 000002
【図２】
0006628095.tif 000003
【図３】
0006628095.tif 000004
【図４】
0006628095.tif 000005
【図５】
0006628095.tif 000006
【図６】
0006628095.tif 000007
【図７】
0006628095.tif 000008
【図８】
0006628095.tif 000009